(57)【特許請求の範囲】
【請求項１】
出力部及び記憶部を備え、ゲームを実行するコンピュータにおけるゲーム制御方法であって、
複数のゲーム媒体を、各ゲーム媒体の当選確率と関連付けて前記記憶部に記憶し、
プレイヤからの一つの要求に従い、前記複数のゲーム媒体のそれぞれに関連付けられた当選確率に基づいて、前記複数のゲーム媒体のそれぞれについて当選か否かを決定する抽選を行い、
前記抽選によって当選した全てのゲーム媒体を前記プレイヤと関連付けて前記記憶部に記憶し、
前記当選した全てのゲーム媒体を希少度又は前記プレイヤの所有数の順に並べて表示するための表示データを前記出力部に出力し、
前記プレイヤが前記ゲームのイベントにおいて多くのポイントを取得するほど、前記複数のゲーム媒体のそれぞれに関連付けられた当選確率の少なくとも一部が高くなるように当選確率を変更する、
ことを含むことを特徴とするゲーム制御方法。
【請求項２】
前記変更において、前記プレイヤが前記ゲームのイベントにおいて取得したポイントが第１閾値以上であり且つ前記第１閾値より大きい第２閾値未満である場合、前記プレイヤを第１のランクに設定し、前記プレイヤが前記ゲームのイベントにおいて取得したポイントが前記第２閾値以上であり且つ前記第２閾値より大きい第３閾値未満である場合、前記プレイヤを前記第１のランクより高い第２のランクに設定し、前記プレイヤのランクが高くなるほど、前記複数のゲーム媒体のそれぞれに関連付けられた当選確率の少なくとも一部を高くする、請求項１に記載のゲーム制御方法。
【請求項３】
更に、前記プレイヤからの要求に従い、当選確率を変更するゲーム媒体を選択する、請求項２に記載のゲーム制御方法。
【請求項４】
前記ゲーム媒体には、前記イベントにおいて使用することにより前記ポイントを取得できるゲーム媒体が含まれる、請求項２または３に記載のゲーム制御方法。
【請求項５】
前記ポイントは、前記イベントにおいて、前記プレイヤが所有する特定のアイテムが他のアイテムに変化した場合に、前記プレイヤと関連付けて前記記憶部に記憶される、請求項２〜４の何れか一項に記載のゲーム制御方法。
【請求項６】
前記ポイントは、前記イベントにおいて、前記プレイヤからの要求に従って前記プレイヤと関連する他のプレイヤが所有する特定のアイテムが他のアイテムに変化した場合、又は、前記他のプレイヤからの要求に従って前記プレイヤが所有する特定のアイテムが他のアイテムに変化した場合に、前記プレイヤと関連付けて前記記憶部に記憶される、請求項２〜５の何れか一項に記載のゲーム制御方法。
【請求項７】
更に、前記複数のゲーム媒体のそれぞれに関連付けられた当選確率の少なくとも一部を、前記プレイヤと関連する他のプレイヤが前記ゲームのイベントにおいて取得したポイントに基づいて変更する、請求項１に記載のゲーム制御方法。
【請求項８】
更に、前記複数のゲーム媒体のそれぞれに関連付けられた当選確率の少なくとも一部を、前記プレイヤと関連する他のプレイヤの数に基づいて変更する、請求項１に記載のゲーム制御方法。
【請求項９】
更に、前記複数のゲーム媒体のそれぞれに関連付けられた当選確率の少なくとも一部を、前記プレイヤが前記プレイヤに関連する他のプレイヤに提供したアイテムの数、又は、前記他のプレイヤが前記プレイヤに提供したアイテムの数に基づいて変更する、請求項１に記載のゲーム制御方法。
【請求項１０】
前記抽選の対象となる前記複数のゲーム媒体として、前記ゲームのイベントにおいて使用されるゲーム媒体が設定され、
前記ゲームのイベント毎に、前記抽選の対象となる前記複数のゲーム媒体は変更される、請求項１〜９の何れか一項に記載のゲーム制御方法。
【請求項１１】
複数のゲーム媒体を、各ゲーム媒体の当選確率と関連付けて記憶する記憶部と、
プレイヤからの一つの要求に従い、前記複数のゲーム媒体のそれぞれに関連付けられた当選確率に基づいて、前記複数のゲーム媒体のそれぞれについて当選か否かを決定する抽選を行う抽選部と、
前記抽選によって当選した全てのゲーム媒体を前記プレイヤと関連付けて前記記憶部に記憶する関連付け部と、
前記当選した全てのゲーム媒体を希少度又は前記プレイヤの所有数の順に並べて表示するための表示データを出力する出力部と、
前記プレイヤが前記ゲームのイベントにおいて多くのポイントを取得するほど、前記複数のゲーム媒体のそれぞれに関連付けられた当選確率の少なくとも一部が高くなるように当選確率を変更する当選確率変更部と、
を有することを特徴とするコンピュータ。
【請求項１２】
出力部及び記憶部を備えるコンピュータの制御プログラムであって、
複数のゲーム媒体を、各ゲーム媒体の当選確率と関連付けて前記記憶部に記憶し、
プレイヤからの一つの要求に従い、前記複数のゲーム媒体のそれぞれに関連付けられた当選確率に基づいて、前記複数のゲーム媒体のそれぞれについて当選か否かを決定する抽選を行い、
前記抽選によって当選した全てのゲーム媒体を前記プレイヤと関連付けて前記記憶部に記憶し、
前記当選した全てのゲーム媒体を希少度又は前記プレイヤの所有数の順に並べて表示するための表示データを前記出力部に出力し、
前記プレイヤが前記ゲームのイベントにおいて多くのポイントを取得するほど、前記複数のゲーム媒体のそれぞれに関連付けられた当選確率の少なくとも一部が高くなるように当選確率を変更する、
ことを前記コンピュータに実行させることを特徴とする制御プログラム。
【発明の詳細な説明】
【技術分野】
【０００１】
本発明は、ゲーム制御方法、コンピュータ及び制御プログラムに関する。
【背景技術】
【０００２】
近年、通信ネットワークを介して携帯端末にゲームを提供するサーバが普及している。このようなサーバにより提供されるゲームとして、複数のプレイヤが参加可能なもの（いわゆる「ソーシャルゲーム」）が知られている。一般に、ソーシャルゲームでは、様々なイベントが実行される。各イベントでは、プレイヤからの要求に従って、ゲームで使用されるアイテムに対して、くじ引き等による抽選が行われ、プレイヤは、抽選によって当選したアイテムを取得することができる。
【０００３】
特許文献１には、通信ネットワークに接続可能な通信端末と、ゲームサーバとによって構成されたゲームシステムが開示されている。このゲームシステムでは、ゲームサーバは、ユーザからの選択操作を認識すると、予め設けられた複数の選手カードの中から所定の、あるいはランダムな確率で抽選を行い、抽選により選手カードを得た場合には、得られた選手カードをユーザに付与する。
【先行技術文献】
【特許文献】
【０００４】
【特許文献１】特開２０１４−７６３８２号公報
【発明の概要】
【発明が解決しようとする課題】
【０００５】
特許文献１のゲームシステムでは、抽選によって複数の選手カードの中から一つの選手カードが選択され、ユーザに付与される。しかしながら、ユーザは１回の抽選によって得られるカードが１つであることがわかっているため、ユーザの抽選に対する期待感を向上させることができず、プレイヤのゲームへの継続意欲が損なわれてしまうおそれがあった。
【０００６】
本発明は、このような課題を解決すべくなされたものであり、ゲームで行われる抽選において、プレイヤのゲームへの継続意欲を維持させることを可能とするゲーム制御方法、コンピュータ及び制御プログラムを提供することを目的とする。
【課題を解決するための手段】
【０００７】
本発明に係るゲーム制御方法は、記憶部を備え、ゲームを実行するコンピュータにおけるゲーム制御方法であって、複数のゲーム媒体を、各ゲーム媒体の当選確率と関連付けて記憶部に記憶し、プレイヤからの一つの要求に従い、各ゲーム媒体と関連付けられた当選確率に基づいて、複数のゲーム媒体の抽選を行い、抽選によって当選した全てのゲーム媒体をプレイヤに付与することを含む。
なお、コンピュータは、上記の手順を実行可能であればよく、例えば、携帯端末や据置端末、サーバ等である。
【０００８】
また、本発明に係るゲーム制御方法において、更に、各ゲーム媒体と関連付けられた当選確率の少なくとも一部を、プレイヤがゲームのイベントにおいて取得したポイントに基づいて変更することが好ましい。
【０００９】
また、本発明に係るゲーム制御方法において、更に、プレイヤからの要求に従い、当選確率を変更するゲーム媒体を選択することが好ましい。
【００１０】
また、本発明に係るゲーム制御方法において、ポイントは、イベントにおいて、プレイヤが所有する特定のアイテムが他のアイテムに変化した場合に、プレイヤに付与されることが好ましい。
【００１１】
また、本発明に係るゲーム制御方法において、ポイントは、イベントにおいて、プレイヤからの要求に従ってプレイヤと関連する他のプレイヤが所有する特定のアイテムが他のアイテムに変化した場合、又は、他のプレイヤからの要求に従ってプレイヤが所有する特定のアイテムが他のアイテムに変化した場合に、プレイヤに付与されることが好ましい。
【００１２】
また、本発明に係るゲーム制御方法において、更に、各ゲーム媒体と関連付けられた当選確率の少なくとも一部を、他のプレイヤがゲームのイベントにおいて取得したポイントに基づいて変更することが好ましい。
【００１３】
また、本発明に係るゲーム制御方法において、更に、各ゲーム媒体と関連付けられた当選確率の少なくとも一部を、プレイヤと関連する他のプレイヤの数に基づいて変更することが好ましい。
【００１４】
また、本発明に係るゲーム制御方法において、更に、各ゲーム媒体と関連付けられた当選確率の少なくとも一部を、プレイヤがプレイヤに関連する他のプレイヤに提供したアイテムの数、又は、他のプレイヤがプレイヤに提供したアイテムの数に基づいて変更することが好ましい。
【００１５】
また、本発明に係るゲーム制御方法において、全てのゲーム媒体の抽選が外れた場合、複数のゲーム媒体の中から一つのゲーム媒体を抽選する第２抽選を行うことが好ましい。
【００１６】
また、本発明に係るゲーム制御方法において、全てのゲーム媒体の抽選の内の一部が当選した場合、複数のゲーム媒体の中からさらに一つのゲーム媒体を抽選する第２抽選を行うことが好ましい。
【００１７】
また、本発明に係るゲーム制御方法において、全てのゲーム媒体の抽選が当選した場合、さらに、特典をプレイヤに付与することが好ましい。
【００１８】
また、本発明に係るゲーム制御方法において全てのゲーム媒体の抽選の内の一部のゲーム媒体の抽選の結果に基づいて、他のゲーム媒体と関連付けられた当選確率を変更することが好ましい。
【００１９】
本発明に係るコンピュータは、複数のゲーム媒体を、各ゲーム媒体の当選確率と関連付けて記憶する記憶部と、プレイヤからの一つの要求に従い、各ゲーム媒体と関連付けられた当選確率に基づいて、複数のゲーム媒体の抽選を行う抽選部と、抽選によって当選した全てのゲーム媒体をプレイヤに付与する付与部とを備える。
【００２０】
本発明に係る制御プログラムは、記憶部を備えるコンピュータの制御プログラムであって、複数のゲーム媒体を、各ゲーム媒体の当選確率と関連付けて記憶部に記憶し、プレイヤからの一つの要求に従い、各ゲーム媒体と関連付けられた当選確率に基づいて、複数のゲーム媒体の抽選を行い、抽選によって当選した全てのゲーム媒体をプレイヤに付与することをコンピュータに実行させる。
また、本発明に係るゲーム制御方法は、出力部及び記憶部を備え、ゲームを実行するコンピュータにおけるゲーム制御方法であって、ゲーム媒体を、プレイヤのランクに基づいて変更される、ゲーム媒体の当選確率と関連付けて記憶部に記憶し、プレイヤの現在のランク及び次のランクにおけるゲーム媒体の当選確率を表示するための表示データを出力部に出力し、プレイヤからの要求に従い、プレイヤの現在のランクにおけるゲーム媒体の当選確率に基づいて、ゲーム媒体の抽選を行い、抽選によって当選した場合、ゲーム媒体をプレイヤに付与する、ことを含む。
また、本発明に係るゲーム制御方法において、更に、ゲーム媒体に関連付けられた当選確率を、プレイヤがゲームのイベントにおいて取得したポイントに基づいて変更することが好ましい。
また、本発明に係るゲーム制御方法において、ゲーム媒体には、イベントにおいて使用することによりポイントを取得できるゲーム媒体が含まれることが好ましい。
また、本発明に係るゲーム制御方法において、プレイヤのランクは、ポイントに応じて定められることが好ましい。
また、本発明に係るゲーム制御方法において、ポイントは、イベントにおいて、プレイヤが所有する特定のアイテムが他のアイテムに変化した場合に、プレイヤに付与されることが好ましい。
また、本発明に係るゲーム制御方法において、ポイントは、イベントにおいて、プレイヤからの要求に従ってプレイヤと関連する他のプレイヤが所有する特定のアイテムが他のアイテムに変化した場合、又は、他のプレイヤからの要求に従ってプレイヤが所有する特定のアイテムが他のアイテムに変化した場合に、プレイヤに付与されることが好ましい。
また、本発明に係るゲーム制御方法において、更に、ゲーム媒体に関連付けられた当選確率を、プレイヤと関連する他のプレイヤがゲームのイベントにおいて取得したポイントに基づいて変更することが好ましい。
また、本発明に係るゲーム制御方法において、更に、ゲーム媒体に関連付けられた当選確率を、プレイヤと関連する他のプレイヤの数に基づいて変更することが好ましい。
また、本発明に係るゲーム制御方法において、更に、ゲーム媒体に関連付けられた当選確率を、プレイヤがプレイヤに関連する他のプレイヤに提供したアイテムの数、又は、他のプレイヤがプレイヤに提供したアイテムの数に基づいて変更することが好ましい。
また、本発明に係るゲーム制御方法において、抽選の対象となるゲーム媒体として、ゲームのイベントにおいて使用されるゲーム媒体が設定され、ゲームのイベント毎に、抽選の対象となるゲーム媒体は変更されることが好ましい。
また、本発明に係るコンピュータは、ゲーム媒体を、プレイヤのランクに基づいて変更される、ゲーム媒体の当選確率と関連付けて記憶する記憶部と、プレイヤの現在のランク及び次のランクにおけるゲーム媒体の当選確率を表示するための表示データを出力する出力部と、プレイヤからの要求に従い、プレイヤの現在のランクにおけるゲーム媒体の当選確率に基づいて、ゲーム媒体の抽選を行う抽選部と、抽選によって当選した場合、ゲーム媒体をプレイヤに付与する付与部と、を有する。
また、本発明に係る制御プログラムは、出力部及び記憶部を備えるコンピュータの制御プログラムであって、ゲーム媒体を、プレイヤのランクに基づいて変更される、ゲーム媒体の当選確率と関連付けて記憶部に記憶し、プレイヤの現在のランク及び次のランクにおけるゲーム媒体の当選確率を表示するための表示データを出力部に出力し、プレイヤからの要求に従い、プレイヤの現在のランクにおけるゲーム媒体の当選確率に基づいて、ゲーム媒体の抽選を行い、抽選によって当選した場合、ゲーム媒体をプレイヤに付与することをコンピュータに実行させる。
【発明の効果】
【００２１】
本発明に係るゲーム制御方法、コンピュータ及び制御プログラムでは、プレイヤからの一回の要求に対して、各ゲーム媒体と関連付けられた当選確率に基づいて、複数のゲーム媒体の抽選が行われる。したがって、ユーザの抽選に対する期待感を向上させることが可能となり、ゲームで行われる抽選において、プレイヤのゲームへの継続意欲を維持させることが可能となる。
【図面の簡単な説明】
【００２２】
【図１】ゲームシステム１の概略構成の一例を示す図である。
【図２】携帯端末２の概略構成の一例を示す図である。
【図３】サーバ３の概略構成の一例を示す図である。
【図４】（ａ）はプレイヤテーブルの一例を示す図であり、（ｂ）は種テーブルの一例を示す図であり、（ｃ）は植物テーブルの一例を示す図であり、（ｄ）は抽選対象アイテムテーブルの一例を示す図である。
【図５】ゲームシステム１による抽選について説明するための模式図である。
【図６】（ａ）〜（ｃ）は携帯端末２に表示される画面の一例を示す図である。
【図７】（ａ）〜（ｃ）は携帯端末２に表示される画面の一例を示す図である。
【図８】育成処理に係る動作シーケンスの一例を示す図である。
【図９】当選確率の上昇率の設定処理に係る動作シーケンスの一例を示す図である。
【図１０】抽選に係る動作シーケンスの一例を示す図である。
【図１１】抽選確率算出処理の動作フローの一例を示す図である。
【図１２】抽選処理の動作フローの一例を示す図である。
【発明を実施するための形態】
【００２３】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２４】
１．本実施形態の概略
本実施形態のゲームシステムでは、プレイヤは、サーバが提供するゲームを携帯端末を用いて実施する。このゲームでは、プレイヤからの要求に従って、ゲームで用いられるアイテムに対して、くじ引きによる抽選が行われ、抽選によって当選したアイテムがプレイヤに付与される。抽選の対象となるアイテム（以下、抽選対象アイテムと称する場合がある）は、ゲーム媒体の一例である。ゲーム媒体とは、ゲームに使用される電子データであり、例えば、カード、アイテム、キャラクタ、アバタ及びゲームで使用されるポイント等を含む。また、ゲーム媒体は、ゲームの進行に応じ、プレイヤによって、ゲーム内で、取得、保有、使用、管理、交換、合成、強化、売却、廃棄、及び／又は贈与等され得る電子データであるが、ゲーム媒体の利用態様は本明細書で明示されるものには限られない。
【００２５】
このゲームでは、抽選対象アイテムが予め定められており、各抽選対象アイテムには当選確率が関連付けられている。そして、プレイヤから一回の抽選が要求された場合に、各抽選対象アイテムに関連付けられた当選確率に基づいて、全ての抽選対象アイテムに対してそれぞれの抽選が同時に（一時期に）行われる。また、各抽選対象アイテムと関連付けられた当選確率は、プレイヤがゲームのイベントにおいて取得したイベントポイントに基づいて変更される。ゲームのイベントは、例えば所定のキャラクタの育成である。育成されるキャラクタは、例えば人物、動物、植物等である。本実施形態では、植物の育成をゲームのイベントの例として説明する。この抽選は、抽選対象アイテム毎に行われるため、一回の抽選で複数のアイテムがプレイヤに付与される場合があり、一方、アイテムが全く付与されない場合もある。これにより、ユーザの抽選に対する期待感を向上させ、プレイヤのゲームへの継続意欲を維持させることを図る。
【００２６】
２．ゲームシステム１の構成
図１は、ゲームシステム１の概略構成の一例を示す図である。
【００２７】
ゲームシステム１は、少なくとも一台の携帯端末２と、サーバ３とを備える。携帯端末２とサーバ３は、例えば、基地局４、移動体通信網５、ゲートウェイ６及びインターネット７等の通信ネットワークを介して相互に接続される。携帯端末２で実行されるプログラム（例えば、閲覧プログラム）と、サーバ３で実行されるプログラム（例えば、ゲームプログラム）とは、ハイパーテキスト転送プロトコル（Hypertext Transfer Protocol, HTTP）等の通信プロトコルを用いて通信を行う。
【００２８】
なお、携帯端末２としては多機能携帯電話（所謂「スマートフォン」）を想定するが、本発明はこれに限定されない。携帯端末２は、本発明が適用可能であればよく、例えば、携帯電話（所謂「フィーチャーフォン」）、携帯情報端末（Personal Digital Assistant, PDA）、携帯ゲーム機、携帯音楽プレイヤ、タブレット端末、タブレットＰＣ、ノートＰＣ等でもよい。
【００２９】
２．１．携帯端末２の構成
図２は、携帯端末２の概略構成の一例を示す図である。
【００３０】
端末通信部２１は、所定の周波数帯を感受帯域とするアンテナを含む、通信インターフェース回路を備え、携帯端末２を無線通信ネットワークに接続する。端末通信部２１は、基地局４により割り当てられるチャネルを介して、基地局４との間でＣＤＭＡ（Code Division Multiple Access）方式等による無線信号回線を確立し、基地局４との間で通信を行う。そして、端末通信部２１は、端末処理部２５から供給されたデータをサーバ３等に送信する。また、端末通信部２１は、サーバ３等から受信したデータを端末処理部２５に供給する。なお、端末通信部２１は、不図示のＷｉｆｉ（Wireless Fidelity）のアクセスポイントとの間でＩＥＥＥ８０２．１１規格の無線通信方式による無線通信を行うものでもよい。
【００３１】
端末記憶部２２は、例えば、半導体メモリ装置を備える。端末記憶部２２は、端末処理部２５での処理に用いられるオペレーティングシステムプログラム、ドライバプログラム、アプリケーションプログラム、データ等を記憶する。例えば、端末記憶部２２は、ドライバプログラムとして、操作部２３を制御する入力デバイスドライバプログラム、表示部２４を制御する出力デバイスドライバプログラム等を記憶する。また、端末記憶部２２は、アプリケーションプログラムとして、ゲームの進行に係る表示データの取得及び表示を行うプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて端末記憶部２２にインストールされてもよい。また、端末記憶部２２は、データとして、携帯端末２のユーザの識別情報であるプレイヤＩＤ、ゲームの進行に係る表示データ、映像データ、画像データ等を記憶する。さらに、端末記憶部２２は、所定の処理に係る一時的なデータを一時的に記憶してもよい。
【００３２】
操作部２３は、携帯端末２の操作が可能であればどのようなデバイスでもよく、例えば、タッチパネル、キーボタン等である。プレイヤは、操作部２３を用いて、文字、数字、記号等を入力することができる。操作部２３は、プレイヤにより操作された場合、その操作に対応する信号を生成する。そして、生成された信号は、プレイヤの指示として、端末処理部２５に供給される。
【００３３】
表示部２４も、映像や画像等の表示が可能であればどのようなデバイスでもよく、例えば、液晶ディスプレイや有機ＥＬ（Electro−Luminescence）ディスプレイ等である。表示部２４は、例えば液晶タッチパネルディスプレイにより操作部２３と一体化されていてもよい。表示部２４は、端末処理部２５から供給された映像データに応じた映像や、画像データに応じた画像等を表示する。
【００３４】
端末処理部２５は、一又は複数個のプロセッサ及びその周辺回路を備える。端末処理部２５は、例えばＣＰＵ（Central Processing Unit）であり、携帯端末２の全体的な動作を統括的に制御する。端末処理部２５は、端末記憶部２２に記憶されているプログラムや操作部２３の操作等に基づいて携帯端末２の各種処理が適切な手順で実行されるように、端末通信部２１や表示部２４等の動作を制御する。端末処理部２５は、端末記憶部２２に記憶されているプログラム（オペレーティングシステムプログラムやドライバプログラム、アプリケーションプログラム等）に基づいて処理を実行する。また、端末処理部２５は、複数のプログラム（アプリケーションプログラム等）を並列に実行することができる。
【００３５】
２．１．１．端末処理部２５の構成
端末処理部２５は、少なくとも閲覧実行部２５１を備える。閲覧実行部２５１は、端末処理部２５が備えるプロセッサで実行されるプログラムにより実現される機能モジュールである。あるいは、閲覧実行部２５１は、ファームウェアとして携帯端末２に実装されてもよい。
【００３６】
閲覧実行部２５１は、ゲームの進行に係る表示データの取得及び表示を行う。即ち、閲覧実行部２５１は、プレイヤからの指示に応じて、ゲームの進行に係る表示データの取得要求を端末通信部２１を介してサーバ３に送信する。また、閲覧実行部２５１は、対応する表示データを端末通信部２１を介してサーバ３から受信する。閲覧実行部２５１は、受信した表示データに基づいて描画データを作成する。即ち、閲覧実行部２５１は、受信した表示データを解析して制御データ及び内容データを特定し、特定した制御データに基づいて同じく特定した内容データをレイアウトし、描画データを作成する。そして、閲覧実行部２５１は、作成した描画データを表示部２４に出力する。また、閲覧実行部２５１は、サーバ３との通信接続が確立されている間、表示データに含まれる各情報を端末記憶部２２に記憶する。
【００３７】
２．２．サーバ３の構成
図３は、サーバ３の概略構成の一例を示す図である。また、図４（ａ）〜図４（ｃ）は、サーバ記憶部３２が記憶する各種テーブルのデータ構造の一例を示す図である。
【００３８】
サーバ３は、サーバ通信部３１と、サーバ記憶部３２と、サーバ処理部３３とを備える。サーバ３は、携帯端末２からの要求に応じてゲームを進行させる。また、サーバ３は、ゲームの進行に係る表示データを作成して携帯端末２に送信する。
【００３９】
サーバ通信部３１は、出力部の一例であり、サーバ３をインターネット７に接続するための通信インターフェース回路を備え、インターネット７との間で通信を行う。そして、サーバ通信部３１は、携帯端末２等から受信したデータをサーバ処理部３３に供給する。また、サーバ通信部３１は、サーバ処理部３３から供給されたデータを携帯端末２等に送信する。
【００４０】
サーバ記憶部３２は、例えば、磁気テープ装置、磁気ディスク装置、又は光ディスク装置のうちの少なくとも一つを備える。サーバ記憶部３２は、サーバ処理部３３での処理に用いられるオペレーティングシステムプログラム、ドライバプログラム、アプリケーションプログラム、データ等を記憶する。例えば、サーバ記憶部３２は、アプリケーションプログラムとして、ゲームを進行させ、その結果に係る表示データを作成するゲームプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて端末記憶部２２にインストールされてもよい。
【００４１】
また、サーバ記憶部３２は、データとして、図４（ａ）〜図４（ｄ）に示す各種テーブル、各プレイヤの画像データ、ゲームの進行に係る様々な画像データ等を記憶する。さらに、サーバ記憶部３２は、所定の処理に係る一時的なデータを一時的に記憶してもよい。なお、各種テーブルの詳細については後述する。
【００４２】
サーバ処理部３３は、一又は複数個のプロセッサ及びその周辺回路を備える。サーバ処理部３３は、例えばＣＰＵであり、サーバ３の全体的な動作を統括的に制御する。サーバ処理部３３は、サーバ記憶部３２に記憶されているプログラム等に基づいてサーバ３の各種処理が適切な手順で実行されるように、サーバ通信部３１等の動作を制御する。サーバ処理部３３は、サーバ記憶部３２に記憶されているプログラム（オペレーティングシステムプログラムやドライバプログラム、アプリケーションプログラム等）に基づいて処理を実行する。また、サーバ処理部３３は、複数のプログラム（アプリケーションプログラム等）を並列に実行することができる。
【００４３】
２．２．１．サーバ処理部３３の機能
図５は、ゲームシステム１が提供するゲームで実施される抽選について説明するための模式図である。
【００４４】
図５に示すように、この抽選において抽選対象となる抽選対象アイテム５０１〜５０４は、予め固定的に定められている。この抽選には、以下の２つの特色がある。
【００４５】
１つ目の特色は、各抽選対象アイテム５０１〜５０４に当選確率５１１〜５１４が関連付けられており、一回の抽選において、各抽選対象アイテム５０１〜５０４にそれぞれ関連付けられた当選確率５１１〜５１４に基づいて、全ての抽選対象アイテムの抽選がそれぞれ行われるという点である。即ち、この抽選では、抽選対象アイテムの中から所定数のアイテムが抽出されるのではなく、抽選対象アイテム毎に、抽選が行われ、当選か外れかが決定される。当選したアイテムは、景品としてプレイヤに付与され、外れたアイテムはプレイヤに付与されない。したがって、一回の抽選で複数のアイテムが付与される場合とアイテムが全く付与されない場合とがあり、プレイヤは、多くの景品を取得できるかもしれないという期待感と、景品を全く取得できないかもしれないという不安感を感じることができる。
【００４６】
２つ目の特色は、各抽選対象アイテム５０１〜５０４に関連付けられた当選確率５１１〜５１４が、プレイヤがゲームのイベントにおいて取得したイベントポイントに基づいて変更されるという点である。このゲームでは、プレイヤは、特定の植物を育成することにより、イベントポイントを取得することができる。プレイヤは、所望のアイテムをより高い確率で取得できるように、より多くの植物を育成しようとするため、ゲームシステム１は、ゲームのイベントを活性化させることができる。
【００４７】
図６（ａ）及び図６（ｂ）は、携帯端末２の表示部２４に表示されるマイページ画面の一例を示す図である。
【００４８】
図６（ａ）は、ゲーム開始時等に表示されるプレイヤのマイページ画面６００を示す。以下で説明するそれぞれの画面は、サーバ３から受信された表示データに基づいて表示される。このゲームでは、マイページは例えばプレイヤの「庭」であり、各プレイヤは自分の庭で植物等を育てる。
【００４９】
マイページ画面６００の上側にはプレイヤの庭の画像６０１が表示され、下側には、「アイテム取得」ボタン６０２、「アイテム使用」ボタン６０３、「育成」ボタン６０４、「フレンドの庭の育成」ボタン６０５及び「抽選」ボタン６０６等が表示される。プレイヤが何れかのボタンを押下すると、そのボタンに対応する指示が携帯端末２からサーバ３に送信される。
【００５０】
「アイテム取得」ボタン６０２が押下されると、プレイヤはゲームの進行に必要なアイテム等の取得を要求することができる。ゲームの進行に必要なアイテムは、例えば、植物の種、庭に配置する敷石、柵又は庭自体等である。例えば、プレイヤは、各アイテムを、購入することにより取得することができる。また、プレイヤは、一定期間（例えば１日）に所定回数（例えば１回）だけ、ゲームシステム１により配布されるアイテムを無料で取得することができる。「アイテム使用」ボタン６０３が押下されると、プレイヤが所有するアイテムを使用するための画面、例えばプレイヤの庭に新たな植物の種を植えるための画面等が表示される。「育成」ボタン６０４が押下されると、プレイヤは自分の庭に植えた植物の種を育成し、植物に成長させることができる。「友達の庭の育成」ボタン６０５が押下されると、プレイヤはフレンドプレイヤの庭に植えられた植物の種を育成し、植物に成長させることができる。フレンドプレイヤは、プレイヤに関連する他のプレイヤの一例であり、予め設定されている。「抽選」ボタン６０６が押下されると、抽選対象アイテムの抽選を行うための画面が表示される。
【００５１】
図６（ｂ）は、図６（ａ）に示したマイページ画面６００を上方向にスライドしたときに表示されるマイページ画面６１０を示す。マイページ画面６１０では、画面上から順に、プレイヤの個人ポイント６１１及び取得景品６１２と、プレイヤが所属するグループのグループポイント６１３及び取得景品６１４とが表示される。
【００５２】
個人ポイント６１１は、イベントポイントの一例である。個人ポイント６１１は、一定期間中に植物を育成するイベントにおいて、プレイヤが、所有する特定の植物の種を育成して特定の植物に成長させた場合、即ち特定のアイテムが他のアイテムに変化した場合に、プレイヤに付与される。特定の植物の種として、例えば希少度が所定値以上である植物の種が予め設定される。取得景品６１２は、上記のイベントにおいて、プレイヤが個人ポイント６１１を所定値以上取得したことにより、プレイヤに付与されたアイテムである。
【００５３】
グループポイント６１３は、イベントポイントの他の例である。グループポイント６１３は、プレイヤの個人ポイント及びプレイヤのフレンドプレイヤの個人ポイントの総和である。即ち、グループは、プレイヤ及びプレイヤのフレンドプレイヤで構成される集合である。なお、グループポイントは、プレイヤが（即ちプレイヤからの要求に従って）、フレンドプレイヤの庭でフレンドプレイヤが所有する特定の植物の種を育成して特定の植物に成長させた場合に、プレイヤに付与されてもよい。また、グループポイントは、フレンドプレイヤが（即ちフレンドプレイヤからの要求に従って）、プレイヤの庭でプレイヤが所有する特定の植物の種を育成して特定の植物に成長させた場合に、プレイヤに付与されてもよい。取得景品６１４は、上記のイベントにおいて、プレイヤがグループポイント６１３を所定値以上取得したことにより、プレイヤに付与されたアイテムである。
【００５４】
図６（ｃ）は、携帯端末２の表示部２４に表示されるアイテム使用画面の一例を示す図である。
【００５５】
図６（ｃ）に示すアイテム使用画面６２０は、マイページ画面６００で「アイテム使用」ボタン６０３が押下されたときに表示される。アイテム使用画面６２０の上側にはプレイヤの庭の画像６２１が表示され、中央には、アイテムを配置する位置を指定するための入力欄６２２が表示される。また、下側には、プレイヤが所有するアイテム毎に、各アイテムの画像６２３、名称６２４、ラジオボタン６２５が表示され、さらに「配置」ボタン６２６、「プレゼント」ボタン６２７が表示される。
【００５６】
プレイヤの庭の画像６２１は、複数の領域に区分され、各領域毎に番号が割り当てられる。入力欄６２２は、各領域に割り当てられた番号が選択可能に表示される。プレイヤは、入力欄６２２において特定の領域の番号を選択し、特定のアイテムのラジオボタン６２５を選択し、「配置」ボタン６２６を押下することにより、選択したアイテム（植物の種）を、選択した領域に配置する（植える）ことができる。なお、画像６２１に各領域の番号を表示させず、プレイヤが入力欄６２２において特定の領域の番号を選択する代わりに、画像６２１内で特定の領域を直接押下する操作によって、アイテムを配置する領域を選択できるようにしてもよい。また、プレイヤは、特定のアイテムのラジオボタン６２５を選択し、「プレゼント」ボタン６２７を押下することにより、選択したアイテム（植物の種）を、フレンドプレイヤに提供することができる。
【００５７】
図７（ａ）は、携帯端末２の表示部２４に表示される抽選画面の一例を示す図である。
【００５８】
図７（ａ）に示す抽選画面７００は、マイページ画面６００で「抽選」ボタン６０６が押下されたときに表示される。抽選画面７００の上側には、抽選可能回数７０１と、プレイヤの現在のランク７０２と、次のランクに上がるために必要となるイベントポイント７０３と、説明７０４と、説明７０５とが表示される。また、その下側には、抽選対象アイテム毎に、各抽選対象アイテムの画像７０６、名称７０７、現在のランクでの当選確率７０８、及び次のランクでの当選確率７０９が表示され、さらに「抽選する」ボタン７１０が表示される。
【００５９】
このゲームでは、プレイヤは一定期間（例えば１日）に所定回数（例えば２回）だけ抽選を行うことができ、抽選可能回数７０１として、プレイヤがその一定期間内に抽選を実施可能な残り回数が表示される。現在のランク７０２は、イベントポイントに応じて定められる。例えば、現在のランク７０２は、イベントポイントに正比例し、イベントポイントが高いほど高くなり、イベントポイントが低いほど低くなる。例えばランクは１〜１０に区分され、イベントポイントが０〜９９のプレイヤはランク１、所得ポイントが１００〜１９９のプレイヤはランク２というように区分され、所得ポイントが９０以上のプレイヤはランク１０に区分される。
【００６０】
また、このゲームでは、抽選対象アイテムとして、複数のアイテムが予め設定されており、各抽選対象アイテムにはその当選確率が関連付けられている。抽選画面７００には、予め設定された全ての抽選対象アイテムが、その当選確率とともに表示される。また、説明７０４には、アイテム毎に当選確率が設定されている旨と、一回の抽選で全てのアイテムを取得可能である旨が記載される。複数の抽選対象アイテムが並べて表示されることと、全てのアイテムを取得可能である旨が表示されることにより、プレイヤは、多くのアイテムを取得できるかもしれないという期待感を得ることができる。
【００６１】
当選確率７０８は、各プレイヤの現在のランク７０２における当選確率である。このゲームでは、各抽選対象アイテムの当選確率は、各プレイヤのランク７０２に基づいて変更され、ランク７０２が高いほど高くなり、ランク７０２が低いほど低くなる。したがって、プレイヤは、各抽選対象アイテムの当選確率により、そのイベントにおける自分のランクを容易に認識することができる。さらに、プレイヤは、イベントにおいて努力して取得したポイントにより、当選確率の上昇という効果が得られたことを実感することができる。当選確率７０９は、各プレイヤが次のランクにあがった場合の当選確率である。次のランクでの当選確率７０９を表示することにより、ランクをよりアップさせようというプレイヤの意欲を向上させることが可能となり、イベントを活性化させることが可能となる。
【００６２】
また、説明７０５には、イベントポイントが高いほど当選確率が高くなる旨が記載される。これにより、多くのイベントポイントを取得しようというプレイヤの意欲を向上させることが可能となり、イベントを活性化させることが可能となる。また、上記したように、プレイヤが抽選を行うことができる回数は限定されているため、より早い段階でイベントポイントを取得しておこうというプレイヤの意欲を向上させることも可能となり、イベントを活性化させることが可能となる。プレイヤは、「抽選する」ボタン７０８を押下することにより、抽選の実施を要求することができる。
【００６３】
抽選対象アイテムとして、例えばゲームにおいて使用されるアイテムが設定される。なお、抽選対象アイテムとして、イベントにおいて使用されるアイテムが設定され、イベント毎に、抽選対象アイテムが変更されてもよい。また、抽選対象アイテムとして、使用することによりイベントポイントを取得できるアイテムが設定されてもよい。これにより、イベントにおいてイベントポイントを取得できないプレイヤであっても、抽選を通してイベントポイントを取得し、抽選対象アイテムの当選確率を高めて、抽選対象アイテムを効率的に取得することが可能になる。
【００６４】
なお、各アイテムの当選確率は、各プレイヤのランク７０２に基づいて一律に変更されるのではなく、ランク７０２に基づいて当選確率を変更するアイテムを、プレイヤによる指示に従って選択できるようにしてもよい。
【００６５】
図７（ｂ）は、携帯端末２の表示部２４に表示される当選確率変更画面の一例を示す図である。
【００６６】
図７（ｂ）に示す当選確率変更画面７２０は、例えば、プレイヤのランクが上がったときに表示される。当選確率変更画面７２０の上側には、プレイヤのランクが上がったことにより上昇させることができる当選確率のトータル上昇率７２１が表示される。また、その下側には、抽選対象アイテム毎に、各抽選対象アイテムの画像７２２、名称７２３、当選確率の上昇率を入力するための入力欄７２４が表示され、さらに「設定」ボタン７２５が表示される。プレイヤは、各抽選対象アイテムの入力欄７２４において、上昇率の総和がトータル上昇率７２１以下になるように上昇率を入力し、さらに「設定」ボタン７２５を押下することにより、当選確率を変更するアイテムを選択し、当選確率を上昇させることができる。これにより、各プレイヤは、自分のレベル、趣味等に応じて、取得したいアイテムを戦略的に設定することが可能となる。
【００６７】
図７（ｃ）は、携帯端末２の表示部２４に表示される抽選結果画面の一例を示す図である。
【００６８】
図７（ｃ）に示す抽選結果画面７３０は、抽選画面７００で「抽選する」ボタン７１０が押下されたときに表示される。抽選結果画面７３０には、抽選により当選したアイテム毎に、各アイテムの画像７３１、名称７３２、「使用する」ボタン７３３が表示される。
【００６９】
抽選により当選した各アイテムは、希少度が高い順に並べて表示される。これにより、プレイヤが希少価値の高いアイテムを取得した場合に、希少価値の高いアイテムを目立たせることが可能となり、プレイヤは希少価値の高いアイテムを取得したことを直感的に認識することができる。または、抽選により当選した各アイテムは、希少度が低い順に並べて表示されてもよい。その場合、プレイヤは、希少価値の高いアイテムを取得したか否かを、即時に認識することができず、プレイヤのドキドキ感及び期待感を高めることができる。
【００７０】
また、抽選により当選した各アイテムは、ユーザの所有数が少ない順に並べて表示されてもよい。その場合、プレイヤは、自分が所有していないアイテム又は少ししか所有していないアイテムを取得したことを直感的に認識することができる。また、抽選結果画面７３０の上側に表示されるアイテムの表示形態と、そのアイテムより下側に表示されるアイテムの表示形態は異ならせてもよい。例えば、抽選結果画面７３０の上側に表示されるアイテム１及びアイテム２については画像７３１と名称７３２の両方を表示し、下側に表示されるアイテム３については画像７３１を表示せずに名称７３２のみを表示する。これにより、希少度が高いアイテム又はユーザの所有数が少ないアイテム等を際立たせて表示することが可能になる。
【００７１】
「使用する」ボタン７３３が押下されると、図６（ｃ）に示したアイテム使用画面６２０が表示され、抽選により当選したアイテムのラジオボタン６２５が自動的に選択される。これにより、プレイヤは、抽選により当選したアイテムを即時に使用することができ、プレイヤの利便性を向上させることができる。
【００７２】
２．２．２．サーバ処理部３３の構成
以上の機能を実現するために、サーバ記憶部３２は、各種テーブルとして、図４（ａ）〜図４（ｄ）に示すプレイヤテーブル、種テーブル、植物テーブル及び抽選対象アイテムテーブルを記憶する。また、サーバ処理部３３は、図３に示すように、進行制御部３３１と、設定部３３２と、当選確率変更部３３３と、抽選部３３４と、付与部３３５を備える。これらの各部は、サーバ処理部３３が備えるプロセッサで実行されるプログラムにより実現される機能モジュールである。あるいは、これらの各部は、ファームウェアとしてサーバ３に実装されてもよい。
【００７３】
以下では、図４（ａ）〜図４（ｄ）に示す各種テーブルと、図３に示すサーバ処理部３３の各機能ブロックの詳細について、順に説明する。
【００７４】
図４（ａ）は、プレイヤを管理するプレイヤテーブルを示す。プレイヤテーブルには、各プレイヤについて、当該プレイヤの識別番号（プレイヤＩＤ）、パスワード、名前、画像データのファイル名、所有する植物の種（所有種）の識別番号（種ＩＤ）、庭情報、景品として取得したアイテム（取得景品）の識別番号（景品ＩＤ）、抽選可能回数、個人ポイント、グループポイント、ランク、当選確率上昇率、種提供数、種受領数、フレンドプレイヤのプレイヤＩＤ等の情報が関連付けて記憶される。
【００７５】
所有種は、プレイヤが所有し且つまだ使用されていない種である。庭情報として、植物の種又は植物が使用されている（植えられている）領域ごとに、その領域の識別番号（領域ＩＤ）と、使用されている種の種ＩＤ又は植物の識別番号（植物ＩＤ）とが関連付けて記憶される。当選確率上昇率は、抽選対象アイテム毎に、その識別番号（抽選対象アイテムＩＤ）と関連付けて記憶される。種提供数は、プレイヤがフレンドプレイヤに提供した種の数であり、種受領数は、フレンドプレイヤがプレイヤに提供した種の数である。
【００７６】
図４（ｂ）は、植物の種を管理する種テーブルを示す。種テーブルには、当該種の種ＩＤ、名称、画像データのファイル名、当該種が育成されることにより生成される植物の植物ＩＤ（対応植物ＩＤ）、当該種の希少度等が関連付けて記憶される。なお、種の画像データは、植物の画像データと同じものでもよい。
【００７７】
図４（ｃ）は、植物を管理する植物テーブルを示す。植物テーブルには、当該植物の植物ＩＤ、名称、画像データのファイル名等が関連付けて記憶される。
【００７８】
図４（ｄ）は、抽選対象のアイテムを管理する抽選対象アイテムテーブルを示す。抽選対象アイテムテーブルには、当該抽選対象アイテムの抽選対象アイテムＩＤ、名称、画像データのファイル名、当選確率等が関連付けて記憶される。
【００７９】
進行制御部３３１は、ゲームの開始及び進行を制御し、設定部３３２、当選確率変更部３３３及び抽選部３３４に処理の実行を適宜指示する。進行制御部３３１は、サーバ通信部３１を介して、携帯端末２との間で必要なデータをやり取りする。
【００８０】
図６（ａ）〜図７（ｃ）を用いて説明した各画面の要求を携帯端末２から受信すると、進行制御部３３１は、その要求に含まれるプレイヤＩＤを特定する。そして、進行制御部３３１は、プレイヤからの指示を受け付けるためのボタン、プレイヤに通知する文字情報、画像等をその画面に応じたレイアウトで表示させるための表示データを作成し、そのデータを携帯端末２に送信する。こうして携帯端末２に表示させた画面上で何れかのボタンが押下され、そのボタンに対応する次の画面の要求を携帯端末２から受信すると、進行制御部３３１は、同様に次の画面の表示データを作成し、そのデータを携帯端末２に送信する。
【００８１】
特に、携帯端末２に表示されたマイページ画面６００で「アイテム取得」ボタン６０２が押下され、それに対応するアイテム取得要求を携帯端末２から受信した場合、進行制御部３３１は、アイテム取得要求に含まれるプレイヤＩＤを特定する。進行制御部３３１は、プレイヤテーブルにおいて、特定したプレイヤＩＤに関連付けて、所定のアイテムのＩＤを追加することにより、そのプレイヤにアイテムを付与する。そして、進行制御部３３１は、マイページ画面６００を再表示させるための表示データを作成し、そのデータを携帯端末２に送信する。
【００８２】
また、携帯端末２に表示されたマイページ画面６００で「アイテム使用」ボタン６０３が押下され、それに対応するアイテム使用画面要求を携帯端末２から受信した場合、進行制御部３３１は、アイテム使用画面要求に含まれるプレイヤＩＤを特定する。進行制御部３３１は、プレイヤテーブルにおいて、特定したプレイヤＩＤに対応する所有種ＩＤ及び庭情報を抽出し、種テーブル及び植物テーブルにおいて、抽出した所有種ＩＤ及び庭情報に対応する各情報を抽出する。進行制御部３３１は、抽出した各情報を所定のレイアウトに配置したアイテム使用画面６２０を表示させるための表示データを作成し、そのデータを携帯端末２に送信する。
【００８３】
また、携帯端末２に表示されたアイテム使用画面６２０で「配置」ボタン６２６が押下され、それに対応するアイテム使用要求を携帯端末２から受信した場合、進行制御部３３１は、アイテム使用要求に含まれるプレイヤＩＤ、種ＩＤ及び領域ＩＤを特定する。進行制御部３３１は、プレイヤテーブルにおいて、特定したプレイヤＩＤに対応する所有種ＩＤを削除するとともに、特定した種ＩＤ及び領域ＩＤを関連付けて庭情報に追加する。そして、進行制御部３３１は、マイページ画面６００を再表示させるための表示データを作成し、そのデータを携帯端末２に送信する。
【００８４】
また、携帯端末２に表示されたアイテム使用画面６２０で「プレゼント」ボタン６２７が押下され、それに対応する要求を携帯端末２から受信した場合、進行制御部３３１は、その要求に含まれるプレイヤＩＤ及び種ＩＤを特定する。進行制御部３３１は、プレイヤテーブルにおいて、特定した種ＩＤを、特定したプレイヤＩＤの所有種ＩＤから削除するとともに、そのフレンドプレイヤの所有種ＩＤとして追加する。これにより、プレイヤは、所有する植物の種をフレンドプレイヤに提供することができる。さらに、進行制御部３３１は、プレイヤの種提供数及びフレンドプレイヤの種受領数をインクリメント（＋１）する。そして、進行制御部３３１は、マイページ画面６００を再表示させるための表示データを作成し、そのデータを携帯端末２に送信する。
【００８５】
また、携帯端末２に表示されたマイページ画面６００で「育成」ボタン６０４が押下され、それに対応する育成要求を携帯端末２から受信した場合、進行制御部３３１は、育成要求に含まれるプレイヤＩＤを特定する。進行制御部３３１は、プレイヤテーブルにおいて、特定したプレイヤＩＤに対応する庭情報から全ての種ＩＤを抽出する。進行制御部３３１は、抽出した種ＩＤ毎に、所定の乱数の種等を用いてランダムに、植物に成長させるか否かを決定する。進行制御部３３１は、庭情報において、植物に成長させることに決定した種ＩＤを、対応する植物ＩＤに変更することにより、植物の種を植物に変化させる。また、進行制御部３３１は、変化させた種が、希少度が所定値以上である特定の種であるか否かを判定する。進行制御部３３１は、変化させた種が特定の種である場合、プレイヤの個人ポイント及びグループポイントと、フレンドプレイヤのグループポイントに所定値を加算することにより、各プレイヤにイベントポイントを付与する。また、進行制御部３３１は、所定値を加算した個人ポイント又はグループポイントに従って、プレイヤ及びフレンドプレイヤのランクを更新する。そして、進行制御部３３１は、マイページ画面６００を再表示させるための表示データを作成し、そのデータを携帯端末２に送信する。
【００８６】
また、携帯端末２に表示されたマイページ画面６００で「フレンドの庭の育成」ボタン６０５が押下され、それに対応する要求を携帯端末２から受信した場合、進行制御部３３１は、その要求に含まれるプレイヤＩＤを特定する。進行制御部３３１は、プレイヤテーブルにおいて、特定したプレイヤＩＤに対応するフレンドプレイヤＩＤを抽出し、抽出したフレンドプレイヤＩＤに対応する庭情報から全ての種ＩＤを抽出する。進行制御部３３１は、育成要求を受信した場合と同様にして、植物の種を植物に変化させる。また、進行制御部３３１は、変化させた種が特定の種である場合、プレイヤのグループポイント及びフレンドプレイヤのグループポイントに所定値を加算することにより、各プレイヤにイベントポイントを付与する。また、進行制御部３３１は、所定値を加算した個人ポイント又はグループポイントに従って、プレイヤ及びフレンドプレイヤのランクを更新する。そして、進行制御部３３１は、マイページ画面６００を再表示させるための表示データを作成し、そのデータを携帯端末２に送信する。
【００８７】
また、携帯端末２に表示された当選確率変更画面７２０で「設定」ボタン７２５が押下され、それに対応する設定要求を携帯端末２から受信した場合、進行制御部３３１は、設定部３３２に処理の実行を指示する。そして、進行制御部３３１は、マイページ画面６００を表示させるための表示データを作成し、そのデータを携帯端末２に送信する。
【００８８】
また、携帯端末２に表示されたマイページ画面６００で「抽選」ボタン６０６が押下され、それに対応する抽選画面要求を携帯端末２から受信した場合、進行制御部３３１は、当選確率変更部３３３に当選確率算出処理の実行を指示する。そして、進行制御部３３１は、抽選画面要求に含まれるプレイヤＩＤを特定する。進行制御部３３１は、プレイヤテーブルにおいて、特定したプレイヤＩＤに対応する抽選可能回数、プレイヤのランク、イベントポイントを抽出するとともに、抽選対象アイテムテーブルから抽選対象アイテムに関する各情報を抽出する。進行制御部３３１は、抽出した各情報と、当選確率変更部３３３が算出した当選確率を一覧表示した抽選画面７００の表示データを作成して、その表示データをプレイヤの携帯端末２に送信する。
【００８９】
また、携帯端末２に表示された抽選画面７００で「抽選する」ボタン７１０が押下され、それに対応する抽選要求を携帯端末２から受信した場合、進行制御部３３１は、抽選部３３４に処理の実行を指示する。そして、進行制御部３３１は、抽選対象アイテムテーブルから、抽選部３３４による抽選の結果、当選した抽選対象アイテムに関する各情報を抽出する。進行制御部３３１は、抽出した各情報を一覧表示した抽選結果画面７２０の表示データを作成して、その表示データをプレイヤの携帯端末２に送信する。
【００９０】
設定部３３２は、進行制御部３３１から設定要求が与えられた場合、設定要求に含まれるプレイヤＩＤ、当選確率を上昇させる抽選対象アイテム及びその上昇率を特定する。設定部３３２は、プレイヤテーブルにおいて、特定したプレイヤＩＤに対応する当選確率上昇率を変更することにより、イベントポイントに基づいて当選確率を変更する抽選対象アイテムを選択し、当選確率を上昇させる。即ち、設定部３３２は、プレイヤからの要求に従い、当選確率を変更する抽選対象アイテムを選択する。なお、設定部３３２は、抽選対象アイテムの当選確率を上昇させるだけでなく、減少させてもよい。例えば、設定部３３２は、一部の抽選対象アイテムの当選確率の上昇率を減少させ、減少させた分だけ他の抽選対象アイテムの当選確率の上昇率を上昇させてもよい。
【００９１】
当選確率変更部３３３は、進行制御部３３１から当選確率算出処理の実行が指示された場合、抽選画面要求に含まれるプレイヤＩＤを特定する。当選確率変更部３３３は、プレイヤテーブルから、特定したプレイヤＩＤに対応するランク及び当選確率上昇率を抽出するとともに、抽選対象アイテムテーブルから、各抽選対象アイテムの当選確率を抽出する。
【００９２】
当選確率変更部３３３は、抽出した各抽選対象アイテムの当選確率をそのプレイヤの現在のランクに基づいて変更する。当選確率変更部３３３は、抽出した各抽選対象アイテムの当選確率を、そのプレイヤのランクが高いほど高くなり、ランクが低いほど低くなるように変更する。そのために、当選確率変更部３３３は、プレイヤのランクに応じて当選確率を変更させる変更比率を算出し、各抽選対象アイテムの当選確率に変更確率を乗じることにより新たな当選確率を算出する。
【００９３】
例えば、最も低いランクの変更比率は１に設定され、当選確率変更部３３３は、ランクと変更比率が正比例関係になるように各ランクの変更比率を算出する。または、当選確率変更部３３３は、ランクが１つ増加したときの変更比率の変化量が、ランクの増加に対して単調減少になるように各ランクの変更比率を算出してもよい。この場合、プレイヤのランクが低い段階で変更比率が飛躍的に高くなるため、各プレイヤはイベントに参加してすぐに当選確率を高めることができ、イベントへ参加するプレイヤ数を向上させることができる。または、当選確率変更部３３３は、ランクが１つ増加したときの変更比率の変化量が、ランクの増加に対して単調増加になるように各ランクの変更比率を算出してもよい。この場合、ランクが高くなるにつれて変更比率が飛躍的に高くなっていくため、各プレイヤのイベントへの参加回数を向上させることができる。
【００９４】
当選確率変更部３３３は、さらに、各抽選対象アイテムの当選確率を、プレイヤにより設定された当選確率上昇率に基づいて変更する。
【００９５】
当選確率変更部３３３は、同様に、各抽選対象アイテムについて、そのプレイヤの次のランクでの当選確率を算出する。
【００９６】
なお、当選確率変更部３３３は、プレイヤテーブルに記憶されたフレンドプレイヤの数に基づいて、各抽選対象アイテムの当選確率を変更してもよい。その場合、当選確率変更部３３３は、フレンドプレイヤの数が多いほど当選確率を高くし、フレンドプレイヤの数が少ないほど当選確率を低くする。これにより、各プレイヤは、フレンドプレイヤの数を増やそうとするため、ゲームシステム１におけるコミュニケーションの活性化を図ることができる。
【００９７】
また、当選確率変更部３３３は、プレイヤテーブルに記憶された種提供数又は種受領数に基づいて、各抽選対象アイテムの当選確率を変更してもよい。その場合、当選確率変更部３３３は、種提供数又は種受領数が多いほど当選確率を高くし、種提供数又は種受領数が少ないほど当選確率を低くする。これにより、各プレイヤは、フレンドプレイヤとの種のやり取りを増やそうとするため、ゲームシステム１におけるコミュニケーションの活性化を図ることができる。
【００９８】
また、当選確率変更部３３３は、各抽選対象アイテムの当選確率の内、少なくとも一つは所定値（例えば９９％）以上の確率に設定してもよい。これにより、プレイヤがアイテムを全く取得できなくなる可能性が減少するため、抽選を行ったプレイヤが失望感を感じることを抑制することができる。
【００９９】
なお、当選確率変更部３３３は、少なくとも一部の抽選対象アイテムの当選確率を変更すればよく、全ての抽選対象アイテムの当選確率を変更しなくてもよい。例えば、当選確率変更部３３３は、希少度の最も高い抽選対象アイテムの当選確率のみを変更してもよい。
【０１００】
抽選部３３４は、進行制御部３３１から抽選要求が与えられた場合、抽選要求に含まれるプレイヤＩＤを特定する。抽選部３３４は、プレイヤテーブルから、特定したプレイヤＩＤに対応する抽選可能回数を抽出し、抽選可能回数が１以上であるか否かを判定する。抽選可能回数が０である場合、抽選部３３４は、抽選を行わない、一方、抽選可能回数が１以上である場合、抽選部３３４は、抽選対象アイテムテーブルから、全ての抽選対象アイテムを抽出し、当選確率変更部３３３が変更した当選確率に基づいて、各抽選対象アイテムの抽選を行う。即ち、抽選部３３４は、プレイヤからの一つの要求に従い、全ての抽選対象アイテムの抽選を行う。また、抽選部３３４は、プレイヤテーブルにおいて、抽選可能回数をデクリメント（−１）する。なお、抽選可能回数は、所定時刻（例えば、１２時）に上限値に設定される。
【０１０１】
なお、抽選部３３４は、全ての抽選対象アイテムの抽選が外れた場合、全ての抽選対象アイテムの中から一つのアイテムを抽選する第２抽選を行ってもよい。これにより、プレイヤは、少なくとも一つのアイテムを取得することができるため、抽選を行ったプレイヤが失望感を感じることを防止することができる。または、抽選部３３４は、全ての抽選対象アイテムの抽選が外れた場合、全ての抽選対象アイテムの内の一部のアイテム（例えば、希少度が最も高いアイテム）について再度抽選を行ってもよい。この場合、一旦失望感を感じたプレイヤに再度期待感を与えることができる。
【０１０２】
また、抽選部３３４は、全ての抽選対象アイテムの内の一部（例えば、希少度が最も高いアイテム）が当選した場合、全ての抽選対象アイテムの中からさらに一つのアイテムを抽選する第２抽選を行ってもよい。これにより、プレイヤは、特定のアイテムが当選した場合にさらにアイテムを取得することができ、抽選のゲーム性が高まり、プレイヤにさらなる期待感を与えることができる。または、抽選部３３４は、全ての抽選対象アイテムの内の一部（例えば、希少度が最も高いアイテム）が当選した場合、そのアイテムについて再度抽選を行ってもよい。この場合も、プレイヤにさらなる期待感を与えることができる。
【０１０３】
また、抽選部３３４は、全ての抽選対象アイテムの内の一部の抽選対象アイテムの抽選結果に基づいて、他の抽選対象アイテムと関連付けられた当選確率を変更してもよい。例えば、抽選部３３４は、全ての抽選対象アイテムの抽選を同時に行うのではなく、各抽選対象アイテムの抽選を一つずつ順次行い、抽選の結果を一つずつ順次携帯端末２に表示させる。そして、抽選部３３４は、特定の抽選対象アイテムの抽選が当選した場合、まだ抽選を行っていない残りの抽選対象アイテムの当選確率を増大させる。これにより、各抽選が当選するにつれて、残りの抽選対象アイテムの当選確率が高くなっていくため、抽選のゲーム性が高まり、プレイヤにさらなる期待感を与えることができる。または、抽選部３３４は、特定の抽選対象アイテムの抽選が外れた場合、まだ抽選を行っていない残りの当選確率を増大させてもよい。これにより、プレイヤがアイテムを全く取得できない可能性が減少するため、抽選を行ったプレイヤが失望感を感じることを抑制することができる。
【０１０４】
付与部３３５は、抽選部３３４による抽選によって当選した全ての抽選対象アイテムをプレイヤに付与する。付与部３３５は、プレイヤテーブルにおいて、抽選部３３４による抽選によって当選した全ての抽選対象アイテムＩＤを、抽選部３３４が特定したプレイヤＩＤに対応する取得景品ＩＤとして記憶する。
【０１０５】
なお、付与部３３５は、抽選部３３４による抽選によって、全ての抽選対象アイテムの抽選が当選した場合、さらに特典をプレイヤに付与してもよい。例えば、付与部３３５は、その場合の特典として、そのプレイヤの抽選可能回数を増大させる。これにより、抽選のゲーム性が向上し、プレイヤにさらなる期待感を与えることができる。または、付与部３３５は、その場合の特典として、当選した抽選対象アイテムの一部をそのプレイヤのフレンドプレイヤにも付与してもよい。これにより、フレンドプレイヤは、プレイヤに対して感謝することになり、プレイヤ間のコミュニケーションを活性化させることが可能になる。
【０１０６】
図８は、ゲームシステム１の育成処理に係る動作シーケンスの一例を示す図である。この動作シーケンスは、予め端末記憶部２２及びサーバ記憶部３２に記憶されているプログラムに基づいて、主に端末処理部２５及びサーバ処理部３３により、携帯端末２及びサーバ３の各要素と協働して実行される。
【０１０７】
まず、携帯端末２の表示部２４にマイページ画面６００が表示された状態で、プレイヤが操作部２３を用いて「アイテム取得」ボタン６０２を押下すると、携帯端末２の閲覧実行部２５１は、アイテム取得要求を端末通信部２１を介してサーバ３に送信する（ステップＳ１０１）。携帯端末２からアイテム取得要求を受信した場合、サーバ３の進行制御部３３１は、アイテム取得要求に含まれるプレイヤＩＤを特定し、そのプレイヤにアイテムを付与する（ステップＳ１０２）。次に、進行制御部３３１は、マイページ画面の表示データを作成して（ステップＳ１０３）、その表示データを携帯端末２に送信する（ステップＳ１０４）。サーバ３から端末通信部２１を介してマイページ画面の表示データを受信した場合、携帯端末２の閲覧実行部２５１は、受信データに基づき描画データを作成して、表示部２４にマイページ画面６００を表示させる（ステップＳ１０５）。
【０１０８】
次に、携帯端末２の表示部２４にマイページ画面６００が表示された状態で、プレイヤが操作部２３を用いて「アイテム使用」ボタン６０３を押下すると、携帯端末２の閲覧実行部２５１は、アイテム使用画面要求を端末通信部２１を介してサーバ３に送信する（ステップＳ１０６）。携帯端末２からアイテム使用画面要求を受信した場合、サーバ３の進行制御部３３１は、アイテム使用画面要求に含まれるプレイヤＩＤを特定し、プレイヤテーブル、種テーブル及び植物テーブルからプレイヤの各アイテムに関する情報を抽出する（ステップＳ１０７）。次に、進行制御部３３１は、抽出した各情報に基づいて、アイテム使用画面の表示データを作成して（ステップＳ１０８）、その表示データを携帯端末２に送信する（ステップＳ１０９）。サーバ３から端末通信部２１を介してアイテム使用画面の表示データを受信した場合、携帯端末２の閲覧実行部２５１は、受信データに基づき描画データを作成して、表示部２４にアイテム使用画面６２０を表示させる（ステップＳ１１０）。
【０１０９】
次に、携帯端末２の表示部２４にアイテム使用画面６２０が表示された状態で、プレイヤが操作部２３を用いて「配置」ボタン６２６を押下すると、携帯端末２の閲覧実行部２５１は、アイテム使用要求を端末通信部２１を介してサーバ３に送信する（ステップＳ１１１）。携帯端末２からアイテム使用要求を受信した場合、サーバ３の進行制御部３３１は、アイテム使用要求に含まれるプレイヤＩＤ、種ＩＤ及び領域ＩＤを特定し、特定した種ＩＤに対応する植物の種を、特定した領域ＩＤに対応する領域に使用する（ステップＳ１１２）。次に、進行制御部３３１は、マイページ画面の表示データを作成して（ステップＳ１１３）、その表示データを携帯端末２に送信する（ステップＳ１１４）。サーバ３から端末通信部２１を介してマイページ画面の表示データを受信した場合、携帯端末２の閲覧実行部２５１は、受信データに基づき描画データを作成して、表示部２４にマイページ画面６００を表示させる（ステップＳ１１５）。
【０１１０】
なお、アイテム使用画面６２０において「プレゼント」ボタン６２７が押下された場合、前述したように、サーバ３の進行制御部３３１により、プレイヤが所有する植物の種がフレンドプレイヤに提供される。この場合の処理の流れもステップＳ１１１〜Ｓ１１５と同様であるため、詳細な説明を省略する。
【０１１１】
次に、携帯端末２の表示部２４にマイページ画面６００が表示された状態で、プレイヤが操作部２３を用いて「育成」ボタン６０４を押下すると、携帯端末２の閲覧実行部２５１は、育成要求を端末通信部２１を介してサーバ３に送信する（ステップＳ１１６）。携帯端末２から育成要求を受信した場合、サーバ３の進行制御部３３１は、育成要求に含まれるプレイヤＩＤを特定し、プレイヤの庭において、植物の種を育成させる（ステップＳ１１７）。次に、進行制御部３３１は、マイページ画面の表示データを作成して（ステップＳ１１８）、その表示データを携帯端末２に送信する（ステップＳ１１９）。サーバ３から端末通信部２１を介してマイページ画面の表示データを受信した場合、携帯端末２の閲覧実行部２５１は、受信データに基づき描画データを作成して、表示部２４にマイページ画面６００を表示させる（ステップＳ１２０）。以上で、育成処理に係る動作シーケンスは終了する。
【０１１２】
なお、マイページ画面６００において「フレンドの庭の育成」ボタン６０５が押下された場合、前述したように、サーバ３の進行制御部３３１は、フレンドプレイヤの庭において、植物の種を育成させる。この場合の処理の流れもステップＳ１１６〜Ｓ１２０と同様であるため、詳細な説明を省略する。
【０１１３】
図９は、ゲームシステム１の当選確率の上昇率の設定処理に係る動作シーケンスの一例を示す図である。この動作シーケンスは、予め端末記憶部２２及びサーバ記憶部３２に記憶されているプログラムに基づいて、主に端末処理部２５及びサーバ処理部３３により、携帯端末２及びサーバ３の各要素と協働して実行される。
【０１１４】
まず、携帯端末２の表示部２４に当選確率変更画面７２０が表示された状態で、プレイヤが操作部２３を用いて「設定」ボタン７２５を押下すると、携帯端末２の閲覧実行部２５１は、設定要求を端末通信部２１を介してサーバ３に送信する（ステップＳ２０１）。携帯端末２から設定要求を受信した場合、サーバ３の設定部３３２は、設定要求に含まれるプレイヤＩＤ、抽選対象アイテムＩＤ及び上昇率を特定し、イベントポイントに基づいて当選確率を変更する抽選対象アイテムを選択し、当選確率を上昇させる（ステップＳ２０２）。次に、進行制御部３３１は、マイページ画面の表示データを作成して（ステップＳ２０３）、その表示データを携帯端末２に送信する（ステップＳ２０４）。サーバ３から端末通信部２１を介してマイページ画面の表示データを受信した場合、携帯端末２の閲覧実行部２５１は、受信データに基づき描画データを作成して、表示部２４にマイページ画面６００を表示させる（ステップＳ２０５）。以上で、当選確率の上昇率の設定処理に係る動作シーケンスは終了する。
【０１１５】
図１０は、ゲームシステム１の抽選に係る動作シーケンスの一例を示す図である。この動作シーケンスは、予め端末記憶部２２及びサーバ記憶部３２に記憶されているプログラムに基づいて、主に端末処理部２５及びサーバ処理部３３により、携帯端末２及びサーバ３の各要素と協働して実行される。
【０１１６】
まず、携帯端末２の表示部２４にマイページ画面６００が表示された状態で、プレイヤが操作部２３を用いて「抽選」ボタン６０６を押下すると、携帯端末２の閲覧実行部２５１は、抽選画面要求を端末通信部２１を介してサーバ３に送信する（ステップＳ３０１）。携帯端末２から抽選画面要求を受信した場合、サーバ３の当選確率変更部３３３は、当選確率算出処理を実行する（ステップＳ３０２）。当選確率算出処理の詳細については後述する。次に、進行制御部３３１は、抽選画面要求に含まれるプレイヤＩＤを特定し、抽選画面の表示データを作成して（ステップＳ３０３）、その表示データを携帯端末２に送信する（ステップＳ３０４）。サーバ３から端末通信部２１を介して抽選画面の表示データを受信した場合、携帯端末２の閲覧実行部２５１は、受信データに基づき描画データを作成して、表示部２４に抽選画面７００を表示させる（ステップＳ３０５）。
【０１１７】
次に、携帯端末２の表示部２４に抽選画面７００が表示された状態で、プレイヤが操作部２３を用いて「抽選する」ボタン７１０を押下すると、携帯端末２の閲覧実行部２５１は、抽選要求を端末通信部２１を介してサーバ３に送信する（ステップＳ３０６）。携帯端末２から抽選要求を受信した場合、サーバ３の抽選部３３４及び付与部３３５は、抽選処理を実行する（ステップＳ３０７）。抽選処理の詳細については後述する。次に、進行制御部３３１は、抽選結果画面の表示データを作成して（ステップＳ３０８）、その表示データを携帯端末２に送信する（ステップＳ３０９）。サーバ３から端末通信部２１を介して抽選結果画面の表示データを受信した場合、携帯端末２の閲覧実行部２５１は、受信データに基づき描画データを作成して、表示部２４に抽選結果画面７３０を表示させる（ステップＳ３１０）。以上で、抽選に係る動作シーケンスは終了する。
【０１１８】
図１１は、サーバ３の当選確率変更部３３３による抽選確率算出処理の動作フローを示す。図１１に示す抽選確率算出処理は、図１０のステップＳ３０２において実行される。
【０１１９】
当選確率変更部３３３は、まず、抽選画面要求に含まれるプレイヤＩＤを特定し、プレイヤテーブルから、特定したプレイヤＩＤに対応するランク及び当選確率上昇率を抽出するとともに、抽選対象アイテムテーブルから、各抽選対象アイテムの当選確率を抽出する（ステップＳ４０１）。次に、当選確率変更部３３３は、抽出した各抽選対象アイテムの当選確率をそのプレイヤの現在のランクに基づいて変更する（ステップＳ４０２）。次に、当選確率変更部３３３は、抽出した各抽選対象アイテムについて、そのプレイヤの次のランクでの当選確率を算出し（ステップＳ４０３）、一連のステップを終了する。
【０１２０】
図１２は、サーバ３の抽選部３３４及び付与部３３５による抽選処理の動作フローを示す。図１２に示す抽選処理は、図１０のステップＳ３０７において実行される。
【０１２１】
抽選部３３４は、まず、抽選要求に含まれるプレイヤＩＤを特定し、そのプレイヤの抽選可能回数が１以上であるか否かを判定する（ステップＳ５０１）。抽選可能回数が０である場合（ステップＳ５０１−Ｎｏ）、抽選部３３４は、抽選を行わず、一連のステップを終了する。一方、抽選可能回数が１以上である場合（ステップＳ５０１−Ｙｅｓ）、抽選部３３４は、抽選対象アイテムテーブルから抽選対象アイテムを抽出する（ステップＳ５０２）。
【０１２２】
次に、抽選部３３４は、当選確率変更部３３３が変更した当選確率に基づいて、抽出した抽選対象アイテムの抽選を行う（ステップＳ５０３）。次に、付与部３３５は、抽選部３３４による抽選が外れた場合（ステップＳ５０４−Ｎｏ）、処理をステップＳ５０６へ進める。一方、付与部３３５は、抽選部３３４による抽選が当選した場合（ステップＳ５０４−Ｙｅｓ）、当選した抽選対象アイテムをプレイヤに付与する（ステップＳ５０５）。次に、抽選部３３４は、抽選対象アイテムテーブルから全ての抽選対象アイテムを抽出したか否かを判定する（ステップＳ５０６）。まだ抽出していない抽選対象アイテムがある場合（ステップＳ５０６−Ｎｏ）、抽選部３３４は、処理をステップＳ５０１へ戻す。一方、全ての抽選対象アイテムを抽出した場合（ステップＳ５０６−Ｙｅｓ）、抽選部３３４は、一連のステップを終了する。
【０１２３】
以上説明してきたように、サーバ３は、複数の抽選対象アイテムを当選確率と関連付けて記憶し、プレイヤからの一回の要求に対して、各抽選対象アイテムと関連付けられた当選確率に基づいて、複数の抽選対象アイテムの抽選を同時に（一時期に）行う。この抽選は、抽選対象のアイテム毎に行われるため、一回の抽選で、複数のアイテムがプレイヤに付与される場合があり、一方、アイテムが全く付与されない場合もある。したがって、抽選のゲーム性が向上し、ユーザの抽選に対する期待感を向上させることが可能となり、プレイヤのゲームへの継続意欲を維持させることが可能となる。
【０１２４】
また、特に、プレイヤが所有する複数のアイテムを並べて表示させる装飾系のゲームでは、複数の同一アイテムを並べて配置することにより統一感を得ることが可能となる。そのようなゲームでは、複数の同一アイテムを抽選対象アイテムとして設定しておくことにより、プレイヤは、何回も抽選を行うことなく、１回の抽選で複数の同一アイテムを取得することも可能となる。したがって、プレイヤは、効率的にアイテムを収集することができ、プレイヤの利便性を向上させることができる。
【０１２５】
また、サーバ３は、各抽選対象アイテムと関連付けられた当選確率を、プレイヤがゲームのイベントにおいて取得したポイントに基づいて変更するため、プレイヤのイベントへの参加意欲を向上させ、イベントを活性化させることが可能となる。イベントで取得可能なポイントと、抽選における当選確率を関連付けることにより、イベントと抽選のそれぞれによる相乗効果を得ることができ、イベントと抽選の双方へのプレイヤの参加率を高め、ゲーム全体の活性化を図ることが可能となる。
【０１２６】
なお、サーバ３において、当選確率変更部３３３及び図１１に示した当選確率算出処理を省略し、抽選部３３４は、各抽選対象アイテムに関連付けられて予め設定されていた当選確率に基づいて抽選を行ってもよい。
【０１２７】
また、上述したサーバ処理部３３の各機能は、携帯端末２の端末処理部２５で実行してもよい。この場合、プレイヤテーブル、種テーブル、植物テーブル及び抽選対象アイテムテーブルを端末記憶部２２に記憶しておけば、処理の都度サーバ３と通信を行う必要はなく、携帯端末２だけで上記の機能を実現することも可能である。また、携帯端末２において実行されるゲームは、サーバ３と携帯端末２のそれぞれが処理の一部を担うハイブリッドゲームとしてもよい。その場合、例えば、ゲームの進行に係る各画面をサーバ３が生成した表示データに基づいて携帯端末２に表示されるウェブ表示とし、その他のメニュー画面等を携帯端末２にインストールされているネイティブアプリによって表示するネイティブ表示とする。
【０１２８】
また、ゲームにおいて実施されるイベントは、所定のキャラクタの育成に限定されず、プレイヤが所有するカードを用いた敵キャラクタとのバトルでもよい。バトルにおける敵キャラクタは、他のプレイヤが所有するカード又はノンプレイヤキャラクタである。その場合、サーバ３は、敵キャラクタに与えたダメージ量が大きいほど、又は敵キャラクタに勝利した数が多いほどプレイヤのイベントポイントを高くする。
【０１２９】
または、ゲームにおいて実施されるイベントは、ゲームのシナリオに従って進行するクエストでもよい。クエストとは、一般に、探索、ミッション等とも称されるものであり、バトル、アイテムの取得等を行うことによりクリアされる複数のステージによって提供される。プレイヤは、クエストを実行することにより、キャラクタを成長させたり、特定のアイテム等の特典を取得することが可能となる。その場合、サーバ３は、クリアしたステージの数が多いほど、又は取得したアイテムの数が多いほどプレイヤのイベントポイントを高くする。
【０１３０】
当業者は、本発明の精神及び範囲から外れることなく、様々な変更、置換、及び修正をこれに加えることが可能であることを理解されたい。
【符号の説明】
【０１３１】
１    ゲームシステム
３    サーバ
３１    サーバ通信部
３２    サーバ記憶部
３３    サーバ処理部
３３１    進行制御部
３３２    設定部
３３３    当選確率変更部
３３４    抽選部
３３５    付与部
【図１】
0005857148.tif 000002
【図２】
0005857148.tif 000003
【図３】
0005857148.tif 000004
【図４】
0005857148.tif 000005
【図５】
0005857148.tif 000006
【図６】
0005857148.tif 000007
【図７】
0005857148.tif 000008
【図８】
0005857148.tif 000009
【図９】
0005857148.tif 000010
【図１０】
0005857148.tif 000011
【図１１】
0005857148.tif 000012
【図１２】
0005857148.tif 000013